(57)【要約】【課題】  撮像装置で撮影した画像を印刷する場合に、撮影者が求める印刷解像度に必要十分な画像サイズで撮影できるようにすることを目的とする。【解決手段】  印刷時の解像度を算出し、算出された印刷解像度が規定値より大きい場合には、液晶にライブビュー表示をする際に、液晶表示部の表示を高解像度の表示にし、小さい場合には解像度の低い表示にする。これにより、印刷しようとしている用紙サイズに対して、撮影サイズが小さいことが撮影をする前に分かり、希望の印刷サイズに対して画像サイズが小さすぎるという失敗をすることがない。【選択図】  図１
2008311937.tif 000002
【特許請求の範囲】
【請求項１】
画像の表示手段を備えた撮像装置において、撮影画像情報取得手段と撮影画像の印刷情報取得手段と、液晶表示の解像度制御手段と、取得した情報から印刷時の解像度を計算する計算手段を有し、印刷時の解像度にあわせて前記表示手段の解像度を変化させることを特徴とする撮像装置。
【請求項２】
前記表示手段の解像度は、印刷時の解像度が低いほど液晶表示部に表示する画像解像度を低下させることを特徴とする請求項１記載の撮像装置。
【請求項３】
前記表示手段に、前記情報取得手段によって取得した印刷可能領域を表示することを特徴とする請求項１，２記載の撮像装置。
【請求項４】
前記表示手段に、前記情報取得手段によって取得した印刷解像度が規定の解像度より低い場合には警告を表示すること特徴とする請求項１〜３記載の撮像装置。
【請求項５】
前記印刷情報取得手段によって取得した印刷解像度に対して、所定の印刷結果が得られる規定値を設定し、前記規定値と比較して撮影画像サイズが大きい場合には撮影時の記録画像サイズを規定の解像度が得られるサイズまで小さくすることを特徴とする請求項１〜４記載の撮像装置。
【請求項６】
前記印刷情報取得手段によって取得した印刷解像度に対して、所定の印刷結果が得られる規定値を設定し、前記規定値と比較して撮影画像サイズが小さい場合には撮影時の記録画像サイズを規定の解像度が得られるサイズまで大きくすることを特徴とする請求項１〜５記載の撮像装置。
【発明の詳細な説明】
【技術分野】
【０００１】
本発明は、撮像装置における印刷出力に合わせた撮影画像の表示方法にに関するものである。
【背景技術】
【０００２】
近年デジタルカメラは、撮像素子の画素数が増加し、撮影時には様々な画像サイズでの撮影が可能となっている。例えば７１０万画素の撮像素子を用いた場合には、３０７２×２３０４画素 、２５９２×１９４４画素 、２０４８×１５３６画素 、１６００×１２００画素 、６４０×４８０画素などとなり、用途に合わせて変更することができる。Ｌ判プリント用として１６００×１２００画素のサイズを指定している場合もある。
【０００３】
また液晶表示部は大型化、高画素化が行われており、撮影時のフレーミングや撮影画像の確認に用いられている。液晶部の表示解像度により画像を表示した際の見え方が異なり、表示解像度が高いと高精細な表示を行うことができるが、表示解像度が低いと粗い画像になる。
【０００４】
一方、デジタルカメラで撮影された撮影画像の印刷する場合は、撮影画像をパーソナルコンピュータ等に転送するか、あるいはプリンタとデジタルカメラを直接繋ぎ、印刷アプリケーションを用いて行われる。このときユーザー指定の印刷用紙サイズとプリンタ固有の印刷可能領域に合わせて、画像の拡大縮小及びトリミングが行われる。このようなデジタルカメラで撮影した画像を印刷する際の利便性を上げる手段として、印刷される領域を表示画面上に明示する方法が挙げられている。(特許文献１)
【特許文献１】特開２００２−９４９０１号公報
【発明の開示】
【発明が解決しようとする課題】
【０００５】
しかしながら上記従来例では、実際にプリントアウトして得られる印刷画像の解像度はわからないため、大きく引き伸ばすような印刷をする場合に、小さな画像サイズで撮影してしまうとざらざらの解像感のない写真になってしまう。常に大きな画像サイズで撮影をしてしまうと、画像データ量が大きくなるため、メモリーカードに保存できる枚数が減ってしまう。
【０００６】
そこで本発明においては、デジタルカメラでユーザーが撮影した画像を印刷する場合に、ユーザーが求める印刷解像度に必要十分な画像サイズで撮影できるようにすることを目的とする。
【課題を解決するための手段】
【０００７】
本発明の請求項１に係る発明によれば、画像の表示手段を備えたデジタルカメラにおいて、撮影画像情報取得手段と撮影画像の印刷媒体情報取得手段と、液晶表示の解像度制御手段と、取得した情報から印刷時の解像度を計算する計算手段を有し、印刷時の解像度にあわせて前記表示手段の解像度を変化させることを特徴とする。
【０００８】
本発明の請求項２に係る発明によれば前記表示手段の解像度は、印刷時の解像度が低いほど液晶表示の解像度を低下させることを特徴とする。
【０００９】
本発明の請求項３に係る発明によれば前記表示手段に、前記情報取得手段によって取得した印刷可能領域を表示することを特徴とする。
【００１０】
本発明の請求項４に係る発明によれば前記表示手段に、前記情報取得手段によって取得した印刷解像度が規定の解像度より低い場合には警告を表示すること特徴とする。
【００１１】
本発明の請求項５に係る発明によれば前記印刷解像度に対して、所定の印刷結果が得られる規定値を設定し、前記規定値と比較して撮影画像サイズが大きい場合には撮影時の記録画像サイズを小さくすることを特徴とする。
【００１２】
本発明の請求項６に係る発明によれば前記印刷解像度に対して、所定の印刷結果が得られる規定値を設定し、前記規定値と比較して撮影画像サイズが小さい場合には撮影時の記録画像サイズを規定の解像度が得られるサイズまで大きくすることを特徴とする。
【発明の効果】
【００１３】
以上説明したように、本発明によれば、撮影する際に印刷した場合の解像度を容易に認識することができる。また、所定の印刷解像度に最適な画像サイズでの撮影が可能あり、メモリーカードの消耗を最小限にすることができる。
【発明を実施するための最良の形態】
【００１４】
（実施例１）
以下本発明における実施例を示す。本実施の形態においてはデジタルカメラに適用して説明するが、ビデオカメラ、携帯電話等のプリンタと接続可能で画像表示部を有する撮像装置でもよい。
【００１５】
図５は本発明に係るカメラの正面斜視図である。図５に示すように４はカメラ筐体であり、５は鏡筒、６はシャッターボタン、７は電源ボタン、８にＡＦ補助光、９はズームレバー、１０はストロボ発光部である。１１は外部接続コネクタであり、プリンタやパーソナルコンピュータとケーブルを通して接続することができる。その他の構成部品に関しては省略してある。
【００１６】
図６にカメラの背面斜視図を示す。１２はファインダ、１３はモードスイッチであり撮影モードと再生モードの切り替えを行う。１４は操作ボタン、１５は液晶表示部である。１５の液晶表示部にフラッシュのモード表示や通常撮影・マクロなど撮影モードの表示がされ、現在の撮影設定がわかるようになっている。１６はメモリーカード蓋である。
【００１７】
カメラの基本的な動作について説明する。電源ボタン７を押してカメラの電源を入れシャッターボタン６を半押しするとＡＦ制御・測距及び測光が行われる。鏡筒５内のレンズ、不図示のシャッター、絞り、フォーカスレンズ、撮像素子からなる撮像部で得られた画像信号がエンジンにより処理される。処理により得られた画像のコントラストが最大となるようにフォーカスレンズを駆動させ、コントラストがピークに達した位置をピント合致点と判断する。フォーカスが合った時点での焦点距離からカメラと被写体との距離情報が得られる。これらの情報をもとにシャッタースピード、絞り、露出が決定され撮影が行われる。
【００１８】
液晶表示部１５は撮像素子及び撮像部で得られた画像をリアルタイムで表示され電子ファインダとして用いられる。撮影者は表示画像を見ながら撮影の構図を決定することができる。さらに撮影した画像は、一旦ＲＡＭに保存された後、メモリーカードに随時書き込み保存される。メモリーカードを読込みに行くことで撮影した画像を液晶表示部に表示して確認することができる。
【００１９】
液晶に表示する際の画像解像度は、エンジン及び液晶ドライバーを用いて変更することができる。
【００２０】
図４にプリンタと接続したシステム図を示す。１はカメラ本体、２はプリンタである。カメラ１とプリンタ２は３のＵＳＢケーブルで接続されており、それぞれで通信を行うことができる。カメラ１はプリンタ２側から印刷可能な用紙サイズ、印刷解像度を受け取り、内部メモリー内に保存される。
【００２１】
印刷を行う際は液晶表示部１５に表示された指示に従い、印刷する画像、用紙サイズ、印刷枚数を選択する。プリンタ３は画像データを受け取り、指定の用紙サイズ、印刷枚数通り印刷を行う。
【００２２】
図１は第１の実施形態における画像表示方法を示すフローチャートである。
【００２３】
まず、カメラ１の電源を入れる（Ｓ１０１）。カメラ１のシステム部が使用するプリンタ２の印刷可能な用紙サイズ、印刷解像度などの情報が取得されているか確認を行う（Ｓ１０２）。未取得な場合は、プリンタ２と通信を行い、前記のプリンタ情報を取得する（Ｓ１０４）。ここで通信はＵＳＢを使用しなくても無線やメモリーカードを使用したり、パーソナルコンピュータを経由したりしてもよい。ここで本実施例においてはプリンタ２の可能印刷解像度を７２０ｄｐｉとする。
【００２４】
次に設定されている撮影サイズを取得する（Ｓ１０５）。７１０万画素の撮像素子を用いた場合には、３０７２×２３０４画素 、２５９２×１９４４画素 、２０４８×１５３６画素 、１６００×１２００画素 、６４０×４８０画素というように細かく撮影サイズを選択することができる。
【００２５】
次に設定されている印刷サイズを取得する（Ｓ１０６）。印刷サイズにはＬ版、２Ｌ版、はがきサイズ、Ａ４、Ａ３等種類が選択でき、ユーザーは取得した印刷データを下に印刷する用紙サイズを設定しておく。
【００２６】
つぎに撮影サイズと印刷サイズから印刷解像度を算出する（Ｓ１０７）。例えば撮影サイズを３０７２×２３０４画素画素、印刷サイズをＡ４に設定した場合の印刷解像ｄｐｉ（ｄｏｔ  ｐｅｒ  ｉｎｃｈ）は次のようになる。Ａ４サイズは１１．６９３×８．２６８ｉｎｃｈである。撮影サイズと用紙のアスペクト比が異なるので、画像をトリミングして、撮影画像サイズを３０７２×２１７２画素とすると、印刷解像度は２６２．７ｄｐｉとなり、一般的な数値として高品位な印刷結果になること分かる。ここで印刷解像度６４０×４８０画素であった場合には５４．７ｄｐｉとなり、印刷した際に粗い写真となってしまう。
【００２７】
次にこの印刷解像度が規定値Ｘに達しているか否かを判断する（Ｓ１０８）。規定値は、ユーザーが印刷結果をどこまで許容できるかで決まるためユーザーが選択する。たとえば「きれい」「普通」といった設定に規定値Ｘを決めておき、ユーザーは所望の印刷解像度の選択を行う。
【００２８】
または、撮影モードが印刷時に高解像度が必要とされる風景モードに設定されていると規定値Ｘが大きく設定される等、出力する画像の種類によって変化させてもよい。
【００２９】
算出された印刷解像度が規定値より大きい場合には、液晶にライブビュー表示をする際に、液晶表示部１５の表示は高解像度のままとなり（Ｓ１１２）、小さい場合には解像度の低い表示となる（Ｓ１１１）。図７は高解像度表示の液晶表示を示しており、図８は低解像度の液晶表示を示している。これによって、撮影サイズが小さいことが撮影をする前に分かり、画像サイズが小さすぎるという失敗をすることがない。規定値Ｘは、段階的にＸ１，Ｘ２、Ｘ３・・と設定しておき、液晶の解像度を段階的に変化させてもよい。また印刷する用紙がＬ版サイズなど小さい場合には印刷解像度が十分得られるまで画像サイズを小さく設定させることで撮影画像のファイルサイズを小さくすることができ、多くの画像を保存することが可能である。
【００３０】
Ｓ１０２で取得した印刷サイズ情報をもとに印刷領域を液晶に表示させ、印刷解像度が不十分なときに印刷領域内だけ解像度を低下させると、印刷解像度が十分な場合と不十分な場合の差が分かりやすい。
【００３１】
（実施例２）
実施例２においては、警告表示を追加した場合を説明する。実施例1と同様の部分は省略し、差異について述べる。
【００３２】
図２は第２の実施形態における画像表示方法を示すフローチャートである。
【００３３】
印刷解像度に応じてまた印刷解像度が規定値よりも下回っている場合に液晶の表示解像度を低下させる（Ｓ２１１）。この場合に液晶表示上に警告を表示する（Ｓ２１３）。撮影サイズまたは印刷サイズを変更したい場合には変更を促すように表示される。さらに自動で所定の解像度になるように撮影サイズを変更することもできる。
【００３４】
（実施例３）
実施例１、２が撮影モードでの液晶表示について説明したのに対して、実施例３は再生モードでの液晶表示について説明する。
【００３５】
図３は第３の実施形態における画像表示方法を示すフローチャートである。
【００３６】
まず、カメラ１の電源を入れる（Ｓ３０１）。再生モードはモードスイッチ１３を切り替えることで変更される。カメラ１のシステム部が使用するプリンタ２の印刷可能な用紙サイズ、印刷解像度などの情報が取得されているか確認を行う（Ｓ３０２）。未取得な場合は、プリンタ２と通信を行い、前記のプリンタ情報を取得する（Ｓ３０４）。
【００３７】
次に撮影された画像サイズを取得する（Ｓ３０５）。次に設定されている印刷サイズを取得する（Ｓ３０６）。そして撮影サイズと印刷サイズから印刷解像度を算出する（Ｓ３０７）。
【００３８】
次にこの印刷解像度が規定値Ｘに達しているか否かを判断する（Ｓ３０８）。
印刷解像度が規定値Ｘに達していない画像は再生画像の解像度を低く設定する（Ｓ３０９）。
【００３９】
このように再生画面において印刷解像度に応じて、再生表示の液晶表示解像度を変化させることで、印刷結果が容易に判断できるようになる。
【図面の簡単な説明】
【００４０】
【図１】本発明の第1の実施の形態に係る動作を示したフローチャート
【図２】本発明の第２の実施の形態に係る動作を示したフローチャート
【図３】本発明の第３の実施の形態に係る動作を示したフローチャート
【図４】本発明の実施の形態に係るシステム図
【図５】本発明の実施の形態に係るカメラの正面斜視図
【図６】本発明の実施の形態に係るカメラの背面斜視図
【図７】本発明の実施の形態に係る液晶表示を示す図
【図８】本発明の実施の形態に係る液晶表示を示す図
【符号の説明】
【００４１】
１  カメラ
２  プリンタ
３  ＵＳＢケーブル
７  電源スイッチ
１３  モードスイッチ
１５  液晶表示部
【図１】
2008311937.tif 000003
【図２】
2008311937.tif 000004
【図３】
2008311937.tif 000005
【図４】
2008311937.tif 000006
【図５】
2008311937.tif 000007
【図６】
2008311937.tif 000008
【図７】
2008311937.tif 000009
【図８】
2008311937.tif 000010